(57)【特許請求の範囲】
【請求項１】
互いに対向するスライディング型枠と、該両スライディング型枠の背面を支持するヨークと、該ヨークを上下移動させるクライミング機構とを備えてなるスリップフォーム装置において、
前記スライディング型枠の背面と前記ヨークの型枠背面対向部との間を連結する上下一対のリンクを備え、該上側のリンクを下側のリンクに対し短いものとし、前記上下の両リンクを水平若しくは型枠側を下向きにしてその両端を前記型枠とヨークに水平方向の軸をもって枢支させるとともに、
一対のリンクの端部を互いにリンク間枢着軸をもって枢着したトグルリンクを、ヨーク側を下向きにしてその両端を前記型枠とヨークに上下方向に回動自在に枢支させ、該トグルリンクのリンク間枢着軸中心を該トグルリンクの両端枢支軸の中心を結ぶ直線を境にして両側に往復動作させるリンク回動手段を備えるとともに、
前記リンク間枢着軸位置が前記中心間直線を境にして何れか片側にある位置で前記トグルリンクの動作を規制するストッパーを備え、前記トグルリンクが前記ストッパーによる動作規制位置にある時、前記スライディング型枠が所定の成形位置にあるようにしたことを特徴としてなるスリップフォーム装置。
【請求項２】
スライディング型枠の背面とヨークとの間に、該型枠の荷重の一部を支える押し上げスプリングを介在させてなる請求項１に記載のスリップフォーム装置。
【請求項３】
リンク回動手段がトグルリンクを構成する一方のリンクと一体化させた手動のハンドルである請求項１若しくは２に記載のスリップフォーム装置。
【請求項４】
各スライディング型枠の背面の上下にそれぞれ水平方向に向けた腹起しを備え、その各腹起しにリンクを枢支させてなる請求項１、２若しくは３に記載のスリップフォーム装置。
【請求項５】
ヨークは、コンクリート成形部の両側に垂下される一対の垂下部と、両垂下部の上端側を互いに連結する連結部とからなり、前記連結部にクライミング機構を支持させるとともに、両垂下部の対向面側に各リンクを支持させるとともに、前記垂下部の下端部には、先に成形されたコンクリート躯体表面に接する水平荷重受け部材を備えてなる請求項１〜３若しくは４に記載のスリップフォーム装置。
【発明の詳細な説明】
【０００１】
【発明の属する技術分野】
本発明は、煙突等やケーソン等のコンクリート構造物の構築をスリップフォーム工法で行う際に用いるスリップフォーム装置に関する。
【０００２】
【従来の技術】
従来、煙突等の塔状建物をコンクリートにより構築するスリップフォーム工法は、図５に示すように、型枠間のコンクリート成形部の両側及び上部にまたがったヨーク１の両垂下部１ａ，１ａの対向面にスライディング型枠２，２を固定し、両垂下部１ａ，１ａの上端を一体に連結する連結部１ｂに設けたクライミングジャッキ３と、コンクリート成形部に立設したクライミングロッド４とからなるクライミング機構５によってヨーク１とともにスライディング型枠２，２を上昇させつつ、コンクリートの打設作業を連続して行うようにしている。
【０００３】
尚、図中６はヨーク１に吊り下げたガイドパイプであり、このガイドパイプ６内にクライミングロッド４が挿通されている。
【０００４】
このような従来のスリップフォーム工法は２４時間連続施工が基本であるが、日本国内では現場周辺の住民に配慮して昼間のみしか施工できないことが多い。
【０００５】
この場合、夜間はスリップフォームの上昇をとめるため、打設したばかりの躯体コンクリートとスライディング型枠が付着し、翌朝施工を再開する際、そのままでは装置の上昇が不可能になる。
【０００６】
このため、一つの対策として、打設したコンクリートが硬化するまでの夜間の数時間、縁切り運転と称する小刻みな上下動を繰り返す作業を行うことがある。
【０００７】
【発明が解決しようとする課題】
しかしながら、この作業は、深夜においても作業者を現場に拘束するするとともに、夜間作業の禁止された状況ではこの作用を行うことにも問題がある。
【０００８】
本発明の目的は、スライディング型枠を剥離させるための新たな駆動装置を必要とせず、クライミングジャッキの駆動力を利用して作業始め時にスライディン型枠の剥離を行えるスリップフォーム装置を提供することにある。
【０００９】
【課題を解決するための手段】
上述の如き従来の問題を解決し、所期の目的を達成するための本発明のスリップフォーム装置の特徴は、互いに対向するスライディング型枠と、該両スライディング型枠の背面を支持するヨークと、該ヨークを上下移動させるクライミング機構とを備えてなるスリップフォーム装置において、前記スライディング型枠の背面と前記ヨークの型枠背面対向部との間を連結する上下一対のリンクを備え、該上側のリンクを下側のリンクに対し短いものとし、前記上下の両リンクを水平若しくは型枠側を下向きにしてその両端を前記型枠とヨークに水平方向の軸をもって枢支させるとともに、一対のリンクの端部を互いにリンク間枢着軸をもって枢着したトグルリンクを、ヨーク側を下向きにしてその両端を前記型枠とヨークに上下方向に回動自在に枢支させ、該トグルリンクのリンク間枢着軸中心を該トグルリンクの両端枢支軸の中心を結ぶ直線を境にして両側に往復動作させるリンク回動手段を備えるとともに、前記リンク間枢着軸位置が前記中心間直線を境にして何れか片側にある位置で前記トグルリンクの動作を規制するストッパーを備え、前記トグルリンクが前記ストッパーによる動作規制位置にある時、前記スライディング型枠が所定の成形位置にあるようにしたことにある。
【００１０】
尚、スライディング型枠の背面とヨークとの間に、該型枠の荷重の一部を支える押し上げスプリングを介在させること、及びリンク回動手段がトグルリンクを構成する一方のリンクと一体化させた手動のハンドルであることが好ましい。
【００１１】
また、各スライディング型枠の背面の上下にそれぞれ水平方向に向けた腹起しを備え、その各腹起しに一対もしくは複数対の伸縮リンク、定長リンクの各端部を枢支させることが好ましく、また、ヨークは、コンクリート成形部の両側に垂下される一対の垂下部と、両垂下部の上端側を互いに連結する連結部とからなり、前記連結部にクライミング機構を支持させ、両垂下部の対向面側にそれぞれスライディング型枠を各リンクをもって支持させるとともに、前記両垂下部の下端部には、先に成形されたコンクリート躯体表面に接する水平荷重受け部材を備えることが好ましい。
【００１２】
【発明の実施の形態】
次に本発明の実施の形態を図面について説明する。
【００１３】
図１〜図４は、断面が正方形の筒状をしたコンクリート構造物を構築するためのスリップフォーム装置を示しており、図において、１０はヨーク、１１，１１は互いに対向配置に設置され、その間がコンクリート打設部となっている内外のスライディング型枠である。
【００１４】
ヨーク１０は、図１に示すように、方形の筒型に組み立てられた内外の型枠１１，１１を方形状の各辺部において１若しくは複数使用し、両型枠を支持している。この各ヨーク１０は、Ｈ型鋼を組み合わせて成形されており、両型枠１１，１１の上方に、これと直交する方向に向けた連結部１０ａと両連結部１０ａから両型枠１１，１１の背面側に垂下させた一対の垂下部１０ｂ，１０ｂとから構成されている。
【００１５】
ヨーク１０の連結部１０ａにはクライミングジャッキ１２が設置されている。このクライミングジャッキ１２は、コンクリート打設部を通して垂直に立設したクライミングロッド１３を把持し、これに反力を取って上下に移動できるようになっており、このクライミングジャッキ１２とクライミングロッド１３とでクライミング機構を構成している。尚、このクライミングジャッキ１２は図には示してないが、一例として中心のクライミングロッド１３を挿通するセンターホールを有するチャックを有し、上下のチャックによる挾持を交互に行いつつジャッキの伸縮をを繰り返すことにより、上昇がなされるものを使用している。また、下降の動作は上下のチャックの挾持機能を一時的に解除することにより可能である。
【００１６】
ヨーク１０の両垂下部１０ｂ，１０ｂの下端は、先に打設成形されたコンクリート壁Ａの表面側に向けて湾曲され、その先端にコンクリート躯体Ａの表面に転接するローラ１４からなる水平荷重受け部材が取り付けられている。
ヨーク１０の両垂下部１０ｂ，１０ｂの中間高さ位置に内外のスライディング型枠１１，１１がリンク及びスプリングを介して支持されている。各スライディング型枠１１，１１には背面の上下にＨ型鋼による腹起し１５ａ，１５ｂが水平配置に固定されている。
【００１７】
上下の各腹起し１５ａ，１５ｂには図３に示すように、それぞれその上下にブラケット１６ａ，１６ｂが突設され、両腹起し１５ａ，１５ｂの上側のブラケット１６ａとヨーク１０の垂下部１０ｂの背面に突設したブラケッット１７ａとの間に上下のリンク１８ａ，１８ｂがその両端を各ブラケットに対し、水平方向の軸をもって枢支されている。
【００１８】
上側のリンク１８ａは下側のリンク１８ｂに比べて短いものが使用され、上側リンクが略水平配置のとき、型枠１１が所定の成形位置に位置されるようになっている。
【００１９】
また、上側の腹起し１５ａの下側のブラケット１６ｂと型枠背面に突設したブラケット１７ｂとの間に型枠１１の荷重のほとんどを受ける押し上げスプリング１９が介在されている。
【００２０】
更に下側の腹起し１５ａの下側のブラケット１６ｂと型枠背面に突設したブラケット１７ｂとの間には、型枠側を下向きにしたトグルリンク２０が介在されている。
【００２１】
トグルリンク２０は、一対のリンク２１ａ，２１ｂの端部間を水平方向のリンク間枢着軸２２をもって枢着し、両リンクの他端側をブラケット１６ｂ，１７ｂに対し、水平方向の軸２３ａ，２３ｂをもって枢着されており、リンク間枢着軸２２の位置がトグルリンク端部の軸２３ａ，２３ｂの中心間を結ぶ直線（以下中心間直線と記す）ａを境にして左右に往復回動されるように構成されている。そして、リンク間枢着軸２２が中心間直線ａより型枠１１側の位置で、該型枠側への移動を阻止するストッパー２５がヨーク１０の垂下部１０ｂに固着され、このストッパー２５にリンク２１ｂが当接した状態の時、型枠１１が所定のコンクリート成形位置となるように、トグルリンク２０及び前記各リンク１８ａ，１８ｂの長さ決定されている。
【００２２】
また、軸２３ａは、リンク２１ａに固定されており、この軸２３ａにリンク回動手段である手動のハンドル２４が固定され、このハンドル２４をヨーク１０のＨ型鋼からなる骨組みの間から回動させることにより、トグルリンク２０が操作されるようになっている。
【００２３】
尚、図中２６はヨーク１０に吊り下げたガイドパイプである。
【００２４】
このように構成されるスリップフォームは、図４中右半分に示すように、トグルリンク２０のリンク間枢着軸２２を型枠側に位置させ、ストッパー２５にリンク２１ｂを当接させた状態で型枠１１が所定の成形位置に位置決めされ、型枠１１に下向きの荷重が作用しても、ヨーク１０に対する相対動作が生じない。
【００２５】
この状態で、ヨーク１０をクライミング機構によって上昇させることにより、この状態が維持されて所定のコンクリート表面の成形が順次なされる。
【００２６】
一方、夜間等、一定時間以上作業を中止すると躯体コンクリートの型枠表面への付着力によって再度の上昇方向の移動に大きな力を要することになるが、その際には、ハンドル２４を手動で操作し、図４中左半分に示すように、トグルリンク２０のリンク間枢着軸２２の位置を中心間直線ａを越えて型枠１１側に移動させる。これによって型枠１１のヨーク１０に対する下向きの相対移動が可能になり、この状態でヨーク１０をクライミング機構によって上昇させることにより、コンクリート躯体表面に付着状態にある型枠１１は、上昇されずにヨーク１０のみが上昇することとなる。
【００２７】
このとき、型枠１１とヨーク１０とは、上下のリンク１８ａ，１８ｂを介して連結されているため、両リンク１８ａ，１８ｂが回動し、型枠１１をヨーク１０側に引き寄せる水平力が作用し、これによって、型枠１１がコンクリート躯体Ａの表面から剥離される。
【００２８】
また、上下のリンク１８ａ，１８ｂの長さを違えて傾斜が異なっているため、長さの短い上側のリンク１８ａ側の水平移動量が下側のリンク１８ｂ側に比べて小さくなり、型枠１１の剥離は、下側から先になされることとなり、小さい水平力で剥離が可能となる。
【００２９】
このようにして剥離動作がなされた後、ハンドル２４を逆向きに操作して、リンク間枢着軸２２の位置を元に戻すことにより、型枠１１を所定のコンクリート成形位置に戻し、ヨーク１０に対する下向き移動を阻止させる。
【００３０】
この時、スプリング１９によって押し上げ方向の力が型枠１１に作用しているため、ハンドル２４は小さい回動力のよって操作できる。
【００３１】
尚、上述の例では、トグルリンクのリンク回動手段として、手動のハンドルを使用しているが、この他、油圧シリンダー等の油圧その他の動力による手段を用いてもよい。
【００３２】
【発明の効果】
上述のように、本発明に係るスリップフォーム装置においては、互いに対向するスライディング型枠と、該両スライディング型枠の背面を支持するヨークと、該ヨークを上下移動させるクライミング機構とを備えてなるスリップフォーム装置において、
前記スライディング型枠の背面と前記ヨークの型枠背面対向部との間を連結する上下一対のリンクを備え、該上側のリンクを下側のリンクに対し短いものとし、前記上下の両リンクを水平若しくは型枠側を下向きにしてその両端を前記型枠とヨークに水平方向の軸をもって枢支させるとともに、一対のリンクの端部を互いにリンク間枢着軸をもって枢着したトグルリンクを、ヨーク側を下向きにしてその両端を前記型枠とヨークに上下方向に回動自在に枢支させ、該トグルリンクのリンク間枢着軸中心を該トグルリンクの両端枢支軸の中心を結ぶ直線を境にして両側に往復動作させるリンク回動手段を備えるとともに、前記リンク間枢着軸位置が前記中心間直線を境にして何れか片側にある位置で前記トグルリンクの動作を規制するストッパーを備え、前記トグルリンクが前記ストッパーによる動作規制位置にある時、前記スライディング型枠が所定の成形位置にあるようにしたことによって、一定時間作業を中止し、躯体コンクリートと型枠とが付着した状態で作業を開始する際には、トグルリンクのリンク間枢着軸位置を移動させた状態で、ヨークをわずかに上昇させるのみで、型枠と躯体コンクリートとが剥離することとなり、従来のように型枠動作を継続させておく必要がなくなり、大幅な省力化がなされる。
【００３３】
また、スライディング型枠の背面とヨークとの間に、該型枠の荷重の一部を支える押し上げスプリングを介在させることにより、剥離後の型枠復帰動作が小さい力で可能となり、リンク回動手段がトグルリンクを構成する一方のリンクと一体化させた手動のハンドルででも充分に操作が可能となる。
【００３４】
更に、ヨークは、コンクリート成形部の両側に垂下される一対の垂下部と、両垂下部の上端側を互いに連結する連結部とからなり、前記連結部にクライミング機構を支持させるとともに、両垂下部の対向面側に各リンクを支持させ、両垂下部の下端部には、先に成形されたコンクリート躯体表面に接する水平荷重受け部材を備えたことにより、剥離動作時にヨークの撓みが少なくなり、的確な剥離が簡単に得られる。
【図面の簡単な説明】
【図１】本発明に係るスリップフォーム装置の全体を示す平面図である。
【図２】同上の１つのヨーク部分を示す拡大断面図である。
【図３】同上のヨークと型枠との連結部分の構造を示す側面図である。
【図４】右側に型枠が所定の成形位置にある状態を示し、左側に型枠が剥離位置にある状態を示す断面図である。
【図５】従来のスリップフォーム装置の１ヨーク部分を示す断面図である。
【符号の説明】
Ａ  コンクリート躯体
ａ  中心線
１０  ヨーク
１０ａ  連結部
１０ｂ  垂下部
１１  スライディング型枠
１２  クライミングジャッキ
１３  クライミングロッド
１４  ローラ
１５ａ，１５ｂ  腹起し
１６ａ，１６ｂ  ブラケット
１７ａ，１７ｂ  ブラケット
１８ａ，１８ｂ  リンク
１９  スプリング
２０  トグルリンク
２１ａ，２１ｂ  端部
２２  リンク間枢着軸
２３ａ，２３ｂ  軸
２４  ハンドル
２５  ストッパー
２６  ガイドパイプ
【図１】
0003629549.tif 000002
【図２】
0003629549.tif 000003
【図３】
0003629549.tif 000004
【図４】
0003629549.tif 000005
【図５】
0003629549.tif 000006